(57)【要約】【課題】コスト増を抑制しつつ、使用後に丸めてコンパクトに廃棄し易いパウチ袋を提供する。【解決手段】液体を内部に収容するためのパウチ袋１は、脆弱線２１が形成されており、脆弱線を破断すると、一端がパウチ袋と連結する接続部５Ｃを有する、使用後の前記パウチ袋を丸めた状態に括るための帯状体５が形成される。【選択図】図１
2017145023.tif 000002
【特許請求の範囲】
【請求項１】
液体を内部に収容するためのパウチ袋であって、
脆弱線が形成されており、
前記脆弱線を破断すると、一端が前記パウチ袋と連結する接続部を有する、使用後の前記パウチ袋を丸めた状態に括るための帯状体が形成される、
パウチ袋。
【請求項２】
前記帯状体に、前記帯状体の側縁から前記帯状体の先端に向かって傾斜する切り込みが形成されている、
請求項１に記載のパウチ袋。
【請求項３】
前記帯状体の幅に相当する間隔をもって互いに並行して延びる２つの前記脆弱線が形成されており、
前記２つの脆弱線を破断すると、連続した１本の前記帯状体が形成される、
請求項１又は２に記載のパウチ袋。
【請求項４】
前記脆弱線の一方が前記パウチ袋の側縁まで延びており、かつ、前記脆弱線の他方が前記パウチ袋の前記側縁の近傍まで延びているが前記側縁までは達していない、
請求項３に記載のパウチ袋。
【請求項５】
前記帯状体の前記接続部が前記パウチ袋の幅方向中央領域に位置する、
請求項１〜４のいずれか１項に記載のパウチ袋。
【請求項６】
前記脆弱線が注出口を形成するための切り取り線と連結している、
請求項１〜５のいずれか１項に記載のパウチ袋。
【請求項７】
前記帯状体が、前記パウチ袋の上縁部分が破断されることによって形成される、
請求項１〜６のいずれか１項に記載のパウチ袋。
【発明の詳細な説明】
【技術分野】
【０００１】
本発明は、液体を内部に収容するためのパウチ袋に関する。
【背景技術】
【０００２】
従来、洗剤、柔軟剤、ボディーソープ等の液体の詰め替え用商品の包装には、軟包装フィルムからなるパウチ袋が使用されている（例えば、特許文献１及び特許文献２等参照）。
【先行技術文献】
【特許文献】
【０００３】
【特許文献１】特開平１１−１０００４９号公報
【特許文献２】特開２０１０−０１３１７０号公報
【発明の概要】
【発明が解決しようとする課題】
【０００４】
このようなパウチ袋では、使用後にユーザは丸めて廃棄することが一般的である。しかしながら、当該パウチ袋は通常、軟包装フィルムから形成されているので、一旦丸めてもまた材料の復元力で元の形状に戻ろうとする力が働いて広がってしまう。そのため、ゴミ箱等にパウチ袋を捨て難く、またゴミ箱等の中においても広がってゴミの嵩が増加してしまうという問題があった。
【０００５】
このような問題を解決すべく、特許文献１に係るパウチ袋では、パウチ袋の側面にパウチ袋とは別体のラベル（シール）が予め貼付されている。特許文献１に記載の発明によれば、パウチ袋を廃棄するときに、当該ラベルを丸めたパウチ袋の端縁に貼付することによって、パウチ袋を丸めた形状に維持したままゴミ箱にコンパクトに捨てることができる。しかしながら、この場合は、パウチ袋と別体のラベルを製造してパウチ袋の側面に貼付しておく必要があるので製造工程が増加することになり、さらにラベルを別途製造する必要があるのでコスト高になるとの問題が生じる。
【０００６】
また、特許文献２には、パウチ袋の胴部上方シール部に開口部を設け、開口部より下方に左右両側のシール部に対応させて切り離し用ノッチを設ける、パウチ袋に関する発明が記載されている。特許文献２に記載の発明によれば、使用後に切り離された胴部上方シール部の開口部に、丸めたパウチ袋を差し込むことによって、パウチ袋が拡がらず、コンパクトにパウチ袋を廃棄することができる。しかしながら、この場合では、パウチ袋の容量に対して、開口部を形成する胴部上方シール部が大きくなってしまい、パウチ袋の材料を無駄に多く使用することが必要となり、コスト高になるおそれがある。また、使用後の丸めたパウチ袋を上記開口部に差し込む操作は煩雑であるという課題がある。
【０００７】
したがって、本発明の目的は、コスト増を抑制しつつ、使用後に丸めてコンパクトに廃棄し易いパウチ袋を提供することにある。
【課題を解決するための手段】
【０００８】
請求項１の発明によれば、液体を内部に収容するためのパウチ袋であって、脆弱線が形成されており、前記脆弱線を破断すると、一端が前記パウチ袋と連結する接続部を有する、使用後の前記パウチ袋を丸めた状態に括るための帯状体が形成される、パウチ袋が提供される。
【０００９】
すなわち、請求項１の発明では、パウチ袋の一部から形成された帯状体によって、使用後のパウチ袋を丸めた状態に容易に括ることができ、パウチ袋を廃棄する際にゴミの嵩が大きくなることが抑制される。また、使用後のパウチ袋を丸めた状態に固定するためのシール等の固定具を付加する必要がないので、製造コストを抑制することができる。
【００１０】
また、請求項２の発明によれば、前記帯状体に、前記帯状体の側縁から前記帯状体の先端に向かって傾斜する切り込みが形成されている、請求項１に記載のパウチ袋が提供される。
【００１１】
すなわち、請求項２の発明では、丸めた状態のパウチ袋の縁部に切り込みを引っ掛けることによって、パウチ袋を丸めた状態に容易に維持することができる。
【００１２】
また、請求項３の発明によれば、前記帯状体の幅に相当する間隔をもって互いに並行して延びる２つの前記脆弱線が形成されており、前記２つの脆弱線を破断すると、連続した１本の前記帯状体が形成される、請求項１又は２に記載のパウチ袋が提供される。
【００１３】
すなわち、請求項３の発明では、パウチ袋の端縁と脆弱線の一方との間の部分と、２つの脆弱線同士の間の部分との両方から帯状体が形成されるので、帯状体を延長することができ、丸めたパウチ袋を括るのに十分な帯状体の長さを確保することができる。
【００１４】
また、請求項４の発明によれば、前記脆弱線の一方が前記パウチ袋の側縁まで延びており、かつ、前記脆弱線の他方が前記パウチ袋の前記側縁の近傍まで延びているが前記側縁までは達していない、請求項３に記載のパウチ袋が提供される。
【００１５】
すなわち、請求項４の発明では、２つの脆弱線を一度に破断することができるため、容易に帯状体を形成することができる。
【００１６】
また、請求項５の発明によれば、前記帯状体の前記接続部が前記パウチ袋の幅方向中央領域に位置する、請求項１〜４のいずれか１項に記載のパウチ袋が提供される。
【００１７】
すなわち、請求項５の発明では、括られたパウチ袋が左右にヨレることが抑制されて、パウチ袋を丸めた状態にまとめ易く、さらに切り込みを引っ掛けやすい。
【００１８】
また、請求項６の発明によれば、前記脆弱線が注出口を形成するための切り取り線と連結している、請求項１〜５のいずれか１項に記載のパウチ袋が提供される。
【００１９】
すなわち、請求項６の発明では、パウチ袋の開封に伴って帯状体を形成することができるので、帯状体の形成が簡易になる。
【００２０】
また、請求項７の発明によれば、前記帯状体が、前記パウチ袋の上縁部分が破断されることによって形成される、請求項１〜６のいずれか１項に記載のパウチ袋が提供される。
【００２１】
すなわち、請求項７の発明では、パウチ袋に形成されている脆弱線を、ひいては帯状体を形成できることを需要者に容易に認識させることができる。
【発明の効果】
【００２２】
本発明に係るパウチ袋では、脆弱線を破断することによってパウチ袋の一部分から形成される帯状体により、使用後にウチ袋を丸めた状態に容易に括ることができる。その結果、使用後のパウチ袋を丸めた状態に容易に括ることができ、パウチ袋をコンパクトに廃棄することができ、さらにゴミの嵩が増大ことが抑制される。
【図面の簡単な説明】
【００２３】
【図１】本発明の第一の実施形態に係るパウチ袋の平面図。
【図２】図１のパウチ袋の使用後の状態を示す平面図。
【図３】図１のパウチ袋が括られている状態を示す斜視図。
【図４】本発明の第二の実施形態に係るパウチ袋の平面図。
【図５】本発明の第一の変形実施形態に係るパウチ袋の平面図。
【図６】本発明の第二の変形実施形態に係るパウチ袋の平面図。
【発明を実施するための形態】
【００２４】
＜第一の実施形態＞
これより、図１〜３を参照しつつ、本発明の第一の実施形態に係るパウチ袋について説明する。第一の実施形態に係るパウチ袋１は、切り取り線１１に沿って切り取り部１３を切り取ることによって注出口３を形成して、当該注出口３から内容液を注出することのできるパウチ袋である。第一の実施形態では、パウチ袋１に収容されている液体は、詰め替え用の衣類洗濯用の洗剤である。
【００２５】
第一の実施形態に係るパウチ袋１は、パウチ袋１の側面を形成する一対の側面シート１Ｓと、パウチ袋１の底部に自立のためのガゼット部（図示しない）を形成する底面シート（図示しない）から構成されており、内容液が充填されているときに自立できるように形成されている。一対の側面シート１Ｓは、第一の実施形態では、略矩形形状であって互いに略同形状であり、一般的なパウチ袋と同様に外周縁部をシールすることによって内容液を収容する空間を形成するものである。
【００２６】
これら側面シート１Ｓは一般的に複層の軟包装フィルムによって構成されており、第一の実施形態では、厚さ１５μｍのナイロン（外層）／厚さ１２μｍの蒸着ポリエチレンテレフタレート（ＰＥＴ）（中層）／厚さ１５０μｍのポリエチレン（内層）から構成されている。底面シートは、側面シート１Ｓと同様に軟包装フィルムによって構成されており、第一の実施形態では、厚さ１５μｍのナイロン（外層）／厚さ１３０μｍのポリエチレン（内層）から構成されている。
【００２７】
切り取り線１１は、図１に示すように、パウチ袋１の１つの角部に注出口３を形成するように、パウチ袋１の上縁と一方の側縁との間で延在している。そして、切り取り部１３の切り取り後に、パウチ袋１の本体から注出口３を突出させるように、注出口３の付近において、パウチ袋１の上縁及び側縁に上縁窪み部１５及び側縁窪み部１７がそれぞれ形成されている。なお、第一の実施形態では切り取り線１１はミシン目である。
【００２８】
第一の実施形態のパウチ袋１には、側面シート１Ｓが互いにシールされているパウチ袋１の上縁部分に、互いに並行して延びる第一の脆弱線２１ａ及び第二の脆弱線２１ｂである２つの脆弱線２１が形成されている。より具体的には、第一の脆弱線２１ａ及び第二の脆弱線２１ｂは、後述する帯状体５の幅に相当する間隔をもって略平行に延びている。また、図１に示すように、第一の脆弱線２１ａは、上縁窪み部１５から、注出口３が形成されている側とは反対側に位置するパウチ袋１の側縁近傍まで延在しているが、当該側縁までは達していない。さらに、第二の脆弱線２１ｂは、当該側縁から、パウチ袋１の幅方向Ｗの中央領域１Ｃまで延在している。なお、第一の実施形態では、脆弱線２１は切り取り線１１と同様にミシン目である。
【００２９】
そして、パウチ袋１の上縁部分であって上縁窪み部１５付近の部分に、第一の脆弱線２１ａに達しない程度の長さの切り込み２３が、パウチ袋１の縦方向Ｌから傾斜する方向に形成されている。
【００３０】
第一の実施形態に係るパウチ袋１では、使用後に、図２に示すように、パウチ袋１の上縁部分を、より具体的にはパウチ袋１の上縁部分に形成されている脆弱線２１を破断することによって、一端がパウチ袋１と連結する接続部５Ｃを有する帯状体５を形成することができる。帯状体５を形成するためには、上縁窪み部１５に隣接する帯状体５の先端５Ｔ部分になる箇所をつまみ、第一の脆弱線２１ａを破断するように第一の脆弱線２１ａに沿って力をかける。このとき、第一の脆弱線２１ａ及び第二の脆弱線２１ｂが上述の配置で形成されていることから、第一の脆弱線２１ａを破断し終わっても力をかけ続けることによって、第二の脆弱線２１ｂも連続して一度に破断することができる。なお接続部５Ｃは、上述のように第二の脆弱線２１ｂがパウチ袋１の幅方向Ｗの中央領域１Ｃで終端することから、同様にパウチ袋１の幅方向Ｗの中央領域１Ｃに位置することになる。
【００３１】
図２に示すように、帯状体５は、パウチ袋１のシールされている部分の一部であって、パウチ袋１の上縁及び第一の脆弱線２１ａの間の部分と、第一の脆弱線２１ａ及び第二の脆弱線２１ｂとの間の部分によって形成される。このとき、切り込み２３は、帯状体５の先端５Ｔの付近に、帯状体５の側縁５Ｅから先端５Ｔに向かって傾斜する向きに形成されている。
【００３２】
帯状体５の形成後、パウチ袋１を丸め、帯状体５を丸めたパウチ袋１の周囲に回す。そして図３に示すように、切り込み２３をパウチ袋１の縁部１Ｅに引っ掛ることによって、パウチ袋１を丸めた状態を維持することができる。
【００３３】
これより、第一の実施形態に係るパウチ袋１の作用効果について説明する。
【００３４】
（１）  第一の実施形態に係るパウチ袋１では、帯状体５によってパウチ袋１を丸めた状態に括ることができるので、パウチ袋１を廃棄するときにパウチ袋１がかさばることが抑制される。その結果、パウチ袋１を容易に廃棄することができ、さらにゴミの嵩を抑制することができる。さらに、帯状体５はパウチ袋１の一部分から形成されるので、使用後のパウチ袋１を丸めた状態に固定するためのシール等の固定具を付加する必要がないので、製造コストを抑制することができる。
【００３５】
（２）  第一の実施形態に係るパウチ袋１では、帯状体５に形成されている切り込み２３を、パウチ袋１の縁部１Ｅに引っ掛ることによって、図３に示すようにパウチ袋１を丸めた状態に容易に維持することができる。
【００３６】
（３）  第一の実施形態に係るパウチ袋１では、２つの脆弱線２１ａ、２１ｂが形成されており、パウチ袋１の一部分であって、パウチ袋１の上縁及び第一の脆弱線２１ａの間の部分と、第一の脆弱線２１ａ及び第二の脆弱線２１ｂとの間の部分によって帯状体５が形成される。それにより、１つの脆弱線のみが形成されており、パウチ袋の端縁及び当該１つの脆弱線の間の部分のみから帯状体が形成されるパウチ袋よりも、帯状体５を延長することができる。その結果、丸めたパウチ袋１を括るのに十分な帯状体５の長さを確保することができる。
【００３７】
（４）  第一の実施形態に係るパウチ袋１では、第一の脆弱線２１ａ及び第二の脆弱線２１ｂは、後述する帯状体５の幅に相当する間隔をもって互いに略平行に延びている。さらに、第一の脆弱線２１ａがパウチ袋１の一方の側縁近傍まで延在しているが当該側縁まで達しておらず、かつ第二の脆弱線２１ｂが当該側縁から延びている。その結果、２つの脆弱線２１ａ、２１ｂを一度に破断することができるため、容易に帯状体５を形成することができる。ここで、「パウチ袋の側縁の近傍」とは、第一の脆弱線２１ａの破断後に、つまみ位置を変更することなく第二の脆弱線２１ｂをそのまま破断でき、かつ帯状体５がパウチ袋１の当該側縁部分に形成される折り返し部５Ｆで切断されない程度の長さをいうものであり、具体的には当該側縁から１〜２０ｍｍ程度の長さである。
【００３８】
（５）  第一の実施形態に係るパウチ袋１では、帯状体５の接続部５Ｃはパウチ袋１の幅方向Ｗの中央領域１Ｃに形成される。これにより、使用後のパウチ袋１を括るときに、パウチ袋１の幅方向Ｗの中央領域１Ｃに帯状体５を丸めたパウチ袋１の周囲に回すことが容易になる。その結果、括られたパウチ袋１が左右にヨレることが抑制されて、パウチ袋１を丸めた状態にまとめ易く、さらに切り込み２３を引っ掛けやすい。なおここで「パウチ袋の幅方向の中央領域」とは、括られたパウチ袋１が左右にヨレない程度であればよく、具体的にはパウチ袋１の幅方向Ｗの半幅程度の幅領域である。
【００３９】
（６）  第一の実施形態では、脆弱線２１が形成されているパウチ袋１の上縁部分を破断させることによって帯状体５を形成している。これにより、例えばパウチ袋１が自立した状態で商店に陳列されているときに、脆弱線を、ひいては帯状体を形成できることを需要者に容易に認識させることができる。
【００４０】
＜第二の実施形態＞
これより、図４を参照しつつ、本発明の第二の実施形態に係るパウチ袋について説明する。なお、第二の実施形態については、第一の実施形態との差異点を主に説明し、説明のない部分に関しては、第一の実施形態と実質的に同じである。第二の実施形態に係るパウチ袋１は、切り取り線１１と第一の脆弱線２１ａとが連結している点で、第一の実施形態に係るパウチ袋１と主に異なる。
【００４１】
第二の実施形態に係るパウチ袋１では、切り取り線１１は、図４に示すように、側縁窪み部１７が形成されているパウチ袋１の側縁から延び、パウチ袋１の上縁まで達さず、第一の脆弱線２１ａと連結している。このため、第一の実施形態のパウチ袋１において切り取り部１３に相当する部分は、切り取り線１及び脆弱線２１を破断した後において、先端５Ｔを含む帯状体５の一部となり、当該部分に切り込み２３が形成される。
【００４２】
第二の実施形態に係るパウチ袋１では、パウチ袋１を開封するために切り取り線１１を破断させることに伴って、第一の脆弱線２１ａ及び第二の脆弱線２１ｂを破断させることができるので、帯状体５の形成が簡易になる。
【００４３】
上述の実施形態では、帯状体５に切り込み２３が設けられている。しかしながら、帯状体５には切り込み２３が設けられていなくてもよい。例えば、帯状体５同士を結んで丸めたパウチ袋１を縛ることによって、パウチ袋１を丸めた状態に括ることができる。
【００４４】
また、上述の実施形態では、２つの脆弱線２１が形成されているが、帯状体５が丸めたパウチ袋１を括るのに十分な長さであれば、脆弱線は１つであってもよい。あるいは、丸めたパウチ袋１を括るために帯状体５をさらに延長する必要があれば、パウチ袋に３つ以上の脆弱線を設けてもよい。
【００４５】
さらに、上述の実施形態では、第一の脆弱線２１ａ及び第二の脆弱線２１ｂは平行に延在している。これは帯状体５の幅を一定にするためであるが、帯状体５の幅は一定でなくてもよく、これらの間に位置するパウチ袋１の部分で帯状体５を形成できるように並行して延在していればよい。
【００４６】
また本発明は、脆弱線２１の配置に関して、上述の実施形態の態様に限定されるものではない。丸めたパウチ袋１を括ることができるように帯状体５を形成するものであれば、脆弱線２１は、側面シート１Ｓ同士又は側面シート１Ｓと底面シートとがシールされているパウチ袋１の周縁部分のどのような位置に設けられていてもよい。例えば、上述の実施形態のようにパウチ袋１の上縁部分ではなく、底縁部分に脆弱線を設けてもよいし、図５に示す本発明の第一の変形実施形態に係るパウチ袋１のように、パウチ袋１の側縁部分に脆弱線２１及び切り込み２３を設けてもよい。さらに、図６に示す本発明の第二の変形実施形態に係るパウチ袋１のように、パウチ袋１の端縁部分を用いずに、脆弱線２１のみによって帯状体５の輪郭形状を形成してもよい。
【００４７】
さらに、帯状体５の接続部５Ｃは、上述の実施形態ではパウチ袋１の幅方向Ｗの中央領域１Ｃに形成されているが、パウチ袋１を丸めた状態に維持することができるのであれば、接続部５Ｃの位置は特に限定されない。
【００４８】
また、上述の実施形態では、切り取り線１１及び脆弱線２１はミシン目であったが、これに限定されるものではなく、例えば線状の薄肉部であってもよい。
【００４９】
さらに、上述の実施形態では、側面シート１Ｓは、厚さ１５μｍのナイロン（外層）／厚さ１２μｍのアルミ蒸着ポリエチレンテレフタレート（ＰＥＴ）（中層）／厚さ１５０μｍのポリエチレン（内層）から構成されている。そして、底面シートは、厚さ１５μｍのナイロン（外層）／厚さ１３０μｍのポリエチレン（内層）から構成されている。しかしながら、本発明はこれらの構成に限定されるものではなく、パウチ袋１の内容液の種類に応じて適宜選択することができる。側面シート１Ｓ及び底面シートの材料及び層構成としては、ナイロン（外層）／ポリエチレン（内層）、ナイロン（外層）／ポリプロピレン（中層）／ポリエチレン（内層）、ポリエステル（外層）／ナイロン（中層）／ポリエチレン（内層）、ポリエステル（外層）／アルミ（中層外側）／ナイロン（中層内側）／ポリエチレン（内層）等が挙げられる。また、各層の厚さについても、パウチ袋１に要求される性能に応じて適宜決定することができる。さらに、上述の実施形態において側面シート１Ｓの中層で使用されているアルミ蒸着ポリエチレンテレフタレートのように、パウチ袋に要求される性能に応じて、所望の物質をシート材料に蒸着させることもできる。シート材料に蒸着させる物質はアルミの他に、ケイ素酸化物、酸化アルミ等が挙げられる。
【００５０】
また、上述の実施形態では、パウチ袋１の内容液は衣類洗濯用の洗剤であったが、本発明はこれに限定されるものではない。本発明のパウチ袋は、例えば、洗剤、柔軟剤、ボディーソープ等の粧業製品や、液体調味料、パスタソース、カレールー等の食品等の、あらゆる種類の液体を収容することができる。
【００５１】
さらに、上述の実施形態では、パウチ袋１にはパウチ袋１が自立するためのガゼット部が設けられている。しかしながら、本発明のパウチ袋にはガゼット部は設けられていなくてもよく、例えば、単に２つの側面シートを互いに周縁部分でシールしたパウチ袋であってもよい。
【符号の説明】
【００５２】
１    パウチ袋
１Ｃ    パウチ袋の幅方向中央領域
５    帯状体
５Ｃ    接続部
２１、２１ａ、２１ｂ    脆弱線
２３    切り込み
【図１】
2017145023.tif 000003
【図２】
2017145023.tif 000004
【図３】
2017145023.tif 000005
【図４】
2017145023.tif 000006
【図５】
2017145023.tif 000007
【図６】
2017145023.tif 000008